(57)【要約】【課題】  可変的で、単純であり、かつ小さい曲げ角度を可能にする成形石膏プラスターボードを形成する方法を提供することである。【解決手段】  成形石膏プラスターボード（２２）を形成する方法は、第１の石膏プラスターボード（１０）を真空プレス（１７）内に配設する工程と、真空プレス（１７）内で第１の石膏プラスターボード（１０）をプレスおよび形成して、成形石膏プラスターボード（２２）を得る工程と、を含む。【選択図】図４
2021531997.tif 000002
【特許請求の範囲】
【請求項１】
成形石膏プラスターボード（２２）を形成する方法であって、
第１の石膏プラスターボード（１０）を真空プレス（１７）内に配設する工程であって、前記第１の石膏プラスターボード（１０）が、湿潤しているか、または湿潤される、配設する工程と、
前記真空プレス内で前記第１の石膏プラスターボード（１０）をプレスおよび形成して、前記成形石膏プラスターボード（２２）を得る工程と、を含む、方法。
【請求項２】
少なくとも第２の石膏プラスターボード（１４）を提供することと、
特に接着剤（１３）によって、第１の（１０）および前記少なくとも１つの第２の石膏プラスターボード（１４）を組み合わせることであって、前記少なくとも１つの第２の石膏プラスターボード（１４）が、湿潤しているか、または前記第１の石膏プラスターボードと組み合わせる前またはその後に湿潤される、組み合わせることと、
第１および前記少なくとも１つの第２の石膏プラスターボード（１０、１４）をプレスおよび形成して、積層成形石膏プラスターボード（２２）を得ることであって、前記接着剤（１３）が、好ましくは、前記プレスおよび形成の開始時に未硬化状態である、得ることと、を特徴とする、請求項１に記載の方法。
【請求項３】
前記真空プレス（１７）が、真空テーブル（１９）を備えることを特徴とする、請求項１また２に記載の方法。
【請求項４】
前記真空プレス（１７）内で前記第１および/または第２の石膏プラスターボード（１０、１４）の少なくとも１つの縁部を平坦化または丸み付けすることを特徴とする、請求項１から３のうちの一項に記載の方法。
【請求項５】
少なくとも１つの二次元構造または１つの三次元構造を、特に凹形構造または凸形構造を、前記真空プレス（１７）内で前記第１および/または第２の石膏プラスターボードに形成することを特徴とする、請求項１から４のうちの一項に記載の方法。
【請求項６】
前記第１および/または第２の石膏プラスターボード（１０、１４）を、前記真空プレス（１７）内の第１の金型（２０）の上へ、または第１および第２の金型もしくは多数の金型の間に配設することを特徴とする、請求項１から５のうちの一項に記載の方法。
【請求項７】
前記真空プレス（１７）の排気を特徴とする、請求項６に記載の方法。
【請求項８】
前記第１の（１０）および/または第２の（１４）石膏プラスターボードを、少なくとも２分、好ましくは少なくとも５分、さらに好ましくは少なくとも１０分、前記排気した真空プレス（１７）内に残すことを特徴とする、請求項１から７のうちの一項に記載の方法。
【請求項９】
前記第１の（１０）または第２の（１４）石膏プラスターボード上の線が、前記真空プレス（１７）内で少なくとも０．５％、好ましくは少なくとも１％延在していることを特徴とする、請求項１から８のうちの一項に記載の方法。
【請求項１０】
真空プレス（１７）と、少なくとも第１の石膏プラスターボード（１０）と、を備える、成形石膏プラスターボード（２２）を形成するための装置。
【請求項１１】
少なくとも第２のプラスターボード（１４）を特徴とする、請求項１０に記載の装置。
【請求項１２】
少なくとも第１の金型（２０）、随意に、少なくとも第１および第２の金型または多数の金型を特徴とし、前記第１および/または第２の石膏プラスターボード（１０、１４）が、前記第１の金型（２０）上に、好ましくは前記第１の金型と前記第２の金型との間に配設されるように構成されている、請求項１０または１１に記載の装置。
【請求項１３】
前記第１および第２の石膏プラスターボード（１０、１４）を一緒に接合するための少なくとも１つの接着剤（１３）と、任意に、前記第１および/または第２の石膏プラスターボードに前記接着剤（１３）を塗布するための工具と、を特徴とする、請求項１０から１２のいずれかに記載の装置。
【請求項１４】
少なくとも第１の石膏プラスターボード（１０）を形成するための、好ましくは第１の（１０）および少なくとも第２の（１４）石膏プラスターボードを互いに重ねて配設して、成形石膏プラスターボード（２２）に形成するための、真空プレス（１７）の使用。
【発明の詳細な説明】
【技術分野】
【０００１】
本発明は、成形石膏プラスターボードを形成するための方法および対応する装置に関する。
【背景技術】
【０００２】
石膏プラスターボードは、一般的に知られている。また、石膏プラスターボードからアーチ形またはドーム形の構造を作成することも知られており、いくつかの方法で達成することができる。プラスターボードが十分に薄い場合は、それらを乾燥または湿潤させた状態で曲げて、アーチ形の構造を作成することができる。ボードを湿潤させる前に、表面ライニングは、ボードのライナ材料および石膏コアへの水の均一なアクセスを可能にするために穿孔しなければならない。ボードは、湿潤させた後に、低速変形プロセスを可能にするために、形成ブロック上に配置し、その縁部を重みで垂れ下がらせる。
【０００３】
この方法は、時間がかかる場合があり、達成することができる曲げ角度に関して強く制限される。したがって、この方法では、主として、かなり少ない曲げ角度を有する大型の構造が生成される。
【０００４】
プラスターボードからアーチ形の二次元形状または三次元形状を形成するための別の可能性は、ボード材料が完全に切り通されるか、またはさらには一方の側部から除去され、一方で、他方の側部ではライナ材料が好ましくは未加工のままである、規則的に配設された切り欠き領域を有するプラスターボードを提供することである。切り欠き領域は、ボードを曲げることができ、一方で、未加工のライナが粘着を提供する空間を提供する。この方法は、より高い曲げ角度を可能にする。
【０００５】
しかしながら、高品質のボードを生成するためには、かなり正確な手作業が必要である。追加的に、切り欠きボードは、非常に弱く/不安定であり、設置中の取り扱いが困難である。切り欠き領域に沿ったライナ材料が破断し、ボードが破壊されるといったリスクが常に存在する。さらに、堅固な構造を作成するために、および均一かつ滑らかな表面を提供するために、設置後に、手間をかけて裂け目に接合充填材料を充填しなければならない。
【０００６】
本発明の目的は、可変的で、単純であり、かつ小さい曲げ角度を可能にする成形石膏プラスターボードを形成する方法を提供することである。本発明の別の目的は、プラスターボードの幅よりも小さい構造の生成を可能にする方法である。さらに、本発明の目的は、プラスターボードを形成する、対応する装置を提供することである。
【０００７】
本発明によれば、成形石膏プラスターボードを形成する方法は、
第１の石膏プラスターボードを真空プレス内に配設する工程であって、第１の石膏プラスターボードが、湿潤しているか、または湿潤される、配設する工程と、
真空プレス内の第１の石膏プラスターボードをプレスおよび形成して、成形石膏プラスターボードを得る工程と、を含む。
【０００８】
本発明の核となる概念は、第１の石膏プラスターボード、特に第１のおよび/または少なくとも１つの第２のプラスターボードを備える積層プラスターボードを形成するための、特に（二次元または三次元に）曲げるための真空プレスを使用することである。これは、単純な二次元または三次元成形を可能にする。石膏プラスターボードは、例えば、波形状、凸形状、もしくは凹形状に、またはそのような形状をその略平面の本体内に含むように成形することができる。
この方法は、好ましくは、
少なくとも第２の石膏プラスターボードを提供することと、
特に接着剤によって、第１および少なくとも１つの第２の石膏プラスターボードを組み合わせることであって、少なくとも１つの第２の石膏プラスターボードが、湿潤しているか、または第１の石膏プラスターボードと組み合わせる前またはその後に湿潤される、組み合わせることと、
第１および少なくとも１つの第２の石膏プラスターボードをプレスおよび形成して、積層成形石膏プラスターボードを得ることと、さらに含む。
【０００９】
好ましくは、組み合わせる前に、または組み合わせることとプレスすることとの間に、第２の石膏プラスターボードを湿潤させるか、または湿潤状態で提供する。好ましくは、プレスおよび形成の開始時に、接着剤は、未硬化状態（例えば、液体状態）である。
【００１０】
接着剤は、例えば、（例えば、ブラシまたは、例えば０．５から１．５ｍｍの、特に少なくとも約１．０ｍｍの深さのノッチを有するノッチ付きトロウェルで）第１の石膏プラスターボードの上へ塗布され得る。接着剤は、第１の石膏プラスターボードの上へ塗布するときに、好ましくは液体状態である。その後に、第２の石膏プラスターボードが、第１の石膏プラスターボード上の接着剤層の上へ配設され得る。組み合わせた（積層した）第１および第２の石膏プラスターボードが真空プレス内に配設されたとき、該接着剤は、好ましくは液体のままである。接着剤は、プレスおよび形成する工程の終了時に、好ましくは硬化する（特に、固化する）。特に接着剤によって、第１および第２の石膏プラスターボードを組み合わせることによって、成形石膏プラスターボードの信頼性が高く効果的な形成を達成することができる。
【００１１】
真空プレスは、好ましくは真空テーブルを含む。
【００１２】
一実施形態では、真空プレスは、真空膜プレスである（例えば、石膏プラスターボード（複数可）を配設することができるテーブルと、膜部分と、を備え、特に、フレームと、フレーム内の膜と、を備える）。
【００１３】
特に、真空プレスは、空気が除去される剛性真空ベッド（テーブル）に取り付けられたヒンジ付フレームに嵌合された膜を使用し得る。石膏プラスターボードを膜と硬質ベッド（テーブル）との間に配置し、石膏プラスターボードを封止し、次いで、（大部分の）空気を吸い出すことによって、圧力差が、膜およびテーブルと外側の大気との間に減圧を作成する。
【００１４】
真空プレス（プレスおよび形成中に）では、第１および/または第２の石膏プラスターボードの少なくとも１つの縁部が平坦化および/または丸み付けされ得る。特に、同一のプレスおよび形成する工程中に、第１および/または第２の石膏プラスターボードへの（三次元の）形状のそのような平坦化および/または丸み付けならびに成形を、石膏プラスターボードの非常に効果的な成形が可能であるように実行することができる。
【００１５】
実施形態では、少なくとも１つの二次元構造または１つの三次元構造を、特に、凹形構造および/または凸形構造を（真空プレスでのプレスおよび形成中に）第１および/または第２の石膏プラスターボードに形成することができる。そのような構造は、波形（二次元構造）を有し得るか、または球面キャップもしくは回転楕円体、または任意の他の三次元形状のセグメントであり得る。さらに、第１のおよび/または第２のプラスターボードに切れ目を適用することによって、傾斜形状も実現することができる。例えば、プラスターボード領域から突出する三角フラップを形成することができる。
【００１６】
この方法は、好ましくは、第１および/または第２の石膏プラスターボードを真空プレス内の第１の金型の上へ、または第１の金型と少なくとも第２の金型との間に配設することをさらに含む。例えば、第１の工程で、第１の金型を真空プレス内に（例えば、真空テーブル上に）配設し、続く工程で、第１および/または第２の石膏プラスターボードを第１の金型上に配設し、その後に、随意に、第２の金型を、その間に接着剤を伴って、第１および/または第２の石膏プラスターボードの上に配設する。次いで、真空プレスを排気する。
【００１７】
好ましくは、第１および/または第２の石膏プラスターボードは、少なくとも２分、好ましくは少なくとも５分、さらに好ましくは少なくとも１０分、排気した真空プレス内に残す。第１および/または第２の石膏プラスターボードは、４０分未満、好ましくは２５分未満、なおさらに好ましくは２０分未満、真空プレス内に残す。
【００１８】
第１または第２の石膏プラスターボード上の線は、真空プレス内に少なくとも０．５％、好ましくは少なくとも１％延在し得る。この「線」は、（真空プレスにおいてプレスおよび形成する前の元の状態において）第１または第２の石膏プラスターボードの表面上の任意の直線であると理解されたい。そのような線の位置および延在に関してはいかなる制限も存在しない。
【００１９】
本発明のさらなる態様では、真空プレスと、少なくとも第１の石膏プラスターボードと、を備える、成形石膏プラスターボードを形成するための装置を提案する。この装置は、少なくとも第２のプラスターボードをさらに備え得る。
【００２０】
好ましくは、この装置は、少なくとも第１の金型、さらに好ましくは少なくとも第１および第２の金型をさらに備え、第１および/または第２の石膏プラスターボード（複数可）は、第１の金型上に、好ましくは第１の金型と第２の金型との間に配設されるように構成されている。
【００２１】
この装置は、第１および第２の石膏プラスターボードを一緒に接合するための少なくとも１つの接着剤を含み得る。随意に、この装置は、第１および/または第２の石膏プラスターボードの上に接着剤を塗布するための工具を備え得る。このような工具は、例えば、ノッチ付きトロウェルであり得る。トロウェルのノッチは、０．５から２．０ｍｍの、特に少なくとも約１．０ｍｍの深さを有し得る。自動化された製造ラインでは、そのような工具はまた、自動運転装置、例えばロールでもあり得、接着剤（液体）を第２のプラスターボードの上面に、または第１のプラスターボードの下側に塗布することが可能である。
【００２２】
本発明のさらなる態様では、少なくとも第１の石膏プラスターボードを形成するための、好ましくは第１のおよび少なくとも第２の石膏プラスターボードを互いに重ねて配設して、成形石膏プラスターボードに形成するための真空プレスの使用を提案する。２つのプラスターボードが、同時に１つの成形石膏プラスターボードに形成される場合、好ましくはそれらの間の、好ましくは未硬化の、接着剤層によって接合することができる。
【００２３】
第１および/または第２の石膏プラスターボードの縁部の１つ以上を平坦化する場合、平坦化部分は、少なくとも２０ｍｍ、好ましくは少なくとも５０ｍｍの幅を有し得る。追加的または代替的に、平坦化部分は、少なくとも１ｍｍ、好ましくは少なくとも２ｍｍ、および/または５ｍｍ以下、好ましくは３ｍｍ以下の深さを有し得る。このような平坦化（縁部）部分は、高い表面品質の要求に対して、（不要な起伏の形成を伴わない）成形石膏プラスターボードの接合部の充填および仕上げを容易にし得る。
【００２４】
プレスおよび形成工程中に、第１および/または第２の石膏プラスターボードの縁部は、保護カバー（特に、保護ティッシュカバー）によって保護され得る。
【００２５】
プレスおよび形成工程後に、成形石膏プラスターボードは、乾燥および/または硬化され得る。
【００２６】
「成形石膏プラスターボード」という用語は、好ましくは、プレスおよび形成工程の後、および好ましくは後続の乾燥（および硬化）工程の後の成形石膏プラスターボードを意味する。
【００２７】
成形石膏プラスターボードは、２つの（積層した）石膏プラスターボードから成ることが好ましい。しかしながら、成形石膏プラスターボードは、３つ以上の、例えば、少なくとも３つまたは少なくとも４つの石膏プラスターボードを含むことも可能である。
【００２８】
第１および/または第２の石膏プラスターボードの厚さは、少なくとも２ｍｍ、好ましくは少なくとも５ｍｍ、および/または２０ｍｍ未満、好ましくは１０ｍｍ未満であり得る。
【００２９】
第１および/または第２の石膏プラスターボードは、各々が１つ以上の石膏層を有し得る。好ましくは、第１および/または第２の石膏プラスターボードは、少なくともフェーサ（紙）層を、特にフェーサ（紙）層と、バッカー（紙）層と、を備える。しかしながら、例えば（ガラスファイバ）フリースファブリックのような他のライニング材料も同様に機能する。追加的に、本発明は、通常はいかなるライニングも有しない石膏ファイバボードにも適用可能である。
【００３０】
好ましくは、第２の石膏プラスターボードの対向面は、第１の石膏プラスターボードの下地側に接合され、特に、第２の石膏プラスターボードのフェーサ（紙）層が、第１の石膏プラスターボードのバッカー（紙）層と接合される。
【００３１】
湿潤工程は、任意の好適な方法によって、例えばスプレーおよび/または例えばティッシュ片によるワイピングによって、液体を塗布することを含み得る。
【００３２】
第１および/または第２の石膏プラスターボードは、（形成およびプレス工程の前に）少なくとも実質的に平坦であり得る（随意に、縁部分または縁部分の１つを除いて、少なくとも実質的に一定の厚さであり、かついかなる窪みまたは突出部も有しない）。
【００３３】
成形のために使用するプラスターボードは、含まれる石膏が水和石膏である、硬化プラスターボードであり得る。しかしながら、形成アクションをプラスターボードの一般的な製造工程に実装することも可能である。プラスターボードは、含まれる硫酸カルシウムが部分的にのみセットされ、ボードがまだ塑性状態、すなわち、最終的に乾燥機内で硬化および乾燥する前であるときに、成形され得る。この場合、プラスターボードは、湿潤状態で真空プレスに挿入され、いかなる追加の湿潤も不要である。
【図面の簡単な説明】
【００３４】
【図１】第１の石膏プラスターボードの側面図。
【図２】接着剤層を有する図１の第１の石膏プラスターボードを示し図。
【図３】図２の接着剤層および第２の石膏プラスターボードを有する第１の石膏プラスターボードを示す図。
【図４】真空プレスおよび金型と共に、接着剤層を有する第１および第２の石膏プラスターボードを示す図。
【図５】図４の配設がプレスおよび形成工程中の図。
【図６】図４および図５の配設を経てプレスおよび形成工程後の図。
【図７】金型と共に、図４から図６の真空プレスのプレステーブルの上面図。
【発明を実施するための形態】
【００３５】
以下、本発明の好ましい実施態様を図面を参照しながら説明する。  
図１によれば、第１の石膏プラスターボード１０は、第１の（上側または対向）表面１１と、第２の（下側または下地）表面１２と、を有して提供される。第１の表面１１および第２の表面１２は、（実質的に）平坦である。
【００３６】
第２の表面１１には、接着剤層１３が塗布される（図２を参照されたい）。その後に（図３を参照されたい）、第１の（上側または対向）表面１５および第２の（下側または下地）表面１６を有する第２の石膏プラスターボードが、第１の表面１５が接着剤層１３と接触するように、接着剤層１３上に配設される。当然ながら、プラスターボード１０、１４はまた、それらの下地側１２、１６によって接合されるように配設することも可能である。
【００３７】
第１および第２の石膏プラスターボードの厚さは、３から９ｍｍ、特に（約）６ｍｍであり得る。
【００３８】
図４によれば、図３に示すように組み合わせた（積層した）第１の石膏プラスターボード１０および第２の石膏プラスターボード１４は、真空プレス１７内に配設される。真空プレス１７は、フレーム１８（膜を有する）と、テーブル１９と、を含む。テーブル１９上には、金型２０が配設される。
【００３９】
第１の石膏プラスターボード１０および/または少なくとも１つの第２の石膏プラスターボード１４は、湿潤しているか、または真空プレス１７がアクションを起こす前に湿潤させる。プラスターボード１０、１４は、それらがまだ最終的にセットされ、硬化していないので、湿潤され得る。また、最終的にセットされ、硬化したプラスターボード１０、１４は、それらを真空プレス１７内に配置する前またはその後に、および互いに組み合わせる前またはその後に湿潤することも可能である。
【００４０】
続く工程では、真空プレス１７を閉じ、すなわち、フレーム１８（膜を有する）を（図５に示すように）テーブル１９の方向に枢動させる。さらに、図５では、フレーム１８の上側に突出している膜２１の一部分を見ることができる。図５の位置では、膜２１は、（膜とテーブル１９との間の空間の排気のため）石膏プラスターボード１０、１５に密に接触している。排気によって、膜がプラスターボードを金型に対して押圧し、金型の形状に一致するようにゆっくりと変形させる。
【００４１】
安定化時間（例えば、約１０から２０分）の後に、真空プレスを再度開く（図６を参照されたい）。図６で分かるように、真空プレスのプレス力のため、金型２０は、成形石膏プラスターボード２２が得られるように、（積層した）第１の石膏プラスターボード１０および第２の石膏プラスターボード１４を成形している。好ましくは接着剤を硬化させないので、形成アクションが開始したときに、依然として第１および第２のプラスターボードは、完成製品の接着剤の接合に対していかなるひずみも存在しないように、互いに対して摺動することができる。
【００４２】
図７は、テーブル１９の上面図を示す。特に、金型２０が環状輪郭部を有することが分かる。三次元では、金型２０は、球体または回転楕円体のセグメントの形状を有し得る。一般に、２つ以上の、例えば少なくとも２つの、または多数の金型２０などの金型が、プレスおよび形成中に、テーブル１９の上に配設され得る。さらに、第１および第２の石膏プラスターボードを成形するための１つ以上のさらなる金型が、第２の石膏プラスターボード（図示せず）の上部に配設され得る。
【符号の説明】
【００４３】
１０  第１の石膏プラスターボード  
１１  第１の石膏プラスターボードの第１の側部  
１２  第１の石膏プラスターボードの第２の側部  
１３  接着材層  
１４  第２の石膏プラスターボード  
１５  第２の石膏プラスターボードの第１の側部  
１６  第２の石膏プラスターボードの第２の側部  
１７  真空プレス  
１８  フレーム  
１９  テーブル  
２０  金型  
２１  膜  
２２  成形石膏プラスターボード。
【図１】
2021531997.tif 000003
【図２】
2021531997.tif 000004
【図３】
2021531997.tif 000005
【図４】
2021531997.tif 000006
【図５】
2021531997.tif 000007
【図６】
2021531997.tif 000008
【図７】
2021531997.tif 000009
【国際調査報告】
2021531997.tif 000010
2021531997.tif 000011